(57)【要約】  本発明は、入力されたキーワードを受信し、そして前記キーワードに関連するマイクロブログアカウントを検索することと、検索結果に製品のマイクロブログアカウントが存在する場合、前記製品のマイクロブログアカウントをソーティングし、そして検索結果に製品のマイクロブログアカウントを優先的に表示することと、検索結果に製品のマイクロブログアカウントが存在しない場合、キーワードに関連するマイクロブログアカウント及び前記マイクロブログアカウントに対応するマイクロブログ情報を直接的に表示することとを含む、マイクロブログにおける検索方法、システム及びコンピュータ記憶媒体を開示する。本発明の技術的スキームにより、製品のマイクロブログアカウントを優先的に表示し、マイクロブログの利用率を向上させることができる。
2014524624.tif 000002
【特許請求の範囲】
【請求項１】
マイクロブログにおける検索方法であって、
入力されたキーワードを受信し、そして前記キーワードに関連するマイクロブログアカウントを検索することと、
検索結果に製品のマイクロブログアカウントが存在する場合、前記製品のマイクロブログアカウントをソーティングし、そして検索結果に製品のマイクロブログアカウントを優先的に表示することと、
検索結果に製品のマイクロブログアカウントが存在しない場合、キーワードに関連するマイクロブログアカウント及び前記マイクロブログアカウントに対応するマイクロブログ情報を直接的に表示することとを含むことを特徴とする、前記方法。
【請求項２】
前記検索結果に製品のマイクロブログアカウントを優先的に表示することの後、当該方法は、
受信されたリスニング要求または注目要求に応じて、製品のマイクロブログアカウントのリスニングされる人の数または注目される人の数の統計をとることをさらに含むことを特徴とする
請求項１に記載の方法。
【請求項３】
前記入力されたキーワードを受信し、そして前記キーワードに関連するマイクロブログアカウントを検索することは、
マイクロブログの検索サーバが入力されたキーワードを受信し、そしてマイクロブログのデータベースに前記キーワードに関連するマイクロブログアカウントを検索することであることを特徴とする
請求項１に記載の方法。
【請求項４】
前記製品のマイクロブログアカウントをソーティングし、そして検索結果に製品のマイクロブログアカウントを優先的に表示することは、
検索結果に複数の製品のマイクロブログアカウントが存在する場合、前記複数の製品のマイクロブログアカウントをソーティングし、ソーティングされた製品のマイクロブログアカウントが検索結果における全てのマイクロブログアカウントの最も前にランクされ、
検索サーバが、関連するマイクロブログアカウント、対応するマイクロブログ情報と公表情報が含まれる検索結果を表示することであることを特徴とする
請求項１に記載の方法。
【請求項５】
前記マイクロブログ情報は、少なくともマイクロブログユーザ名、リスニングするユーザの数または注目するユーザの数、リスニングされる人の数または注目される人の数、認証情報、場所の１つまたは複数を含み、
前記公表情報は、少なくとも製品の機能、特性、最も新しい特恵活動、ピクチャーの１つまたは複数を含むことを特徴とする
請求項４に記載の方法。
【請求項６】
前記複数の製品のマイクロブログアカウントをソーティングすることは、入札結果に従って複数の製品のマイクロブログアカウントをソーティングすることであり、
前記入札結果は、効果的なコストパーミル（ｅＣＰＭ、ｅｆｆｅｃｔｉｖｅ  Ｃｏｓｔ  Ｐｅｒ  Ｍｉｌｌｅ）によって確定され、
前記入札結果に従って前記製品のマイクロブログアカウントをソーティングすることは、ｅＣＰＭの一番高いマイクロブログアカウントが全ての製品のマイクロブログアカウントの最も前にランクされ、ｅＣＰＭの二番目に高いマイクロブログアカウントが全ての製品のマイクロブログアカウントの第２位にランクされ、以下同様にランクされることを特徴とする
請求項４に記載の方法。
【請求項７】
前記製品のマイクロブログアカウントのリスニングされる人の数または注目される人の数の統計をとることは、
統計サーバがクライアントから送信されたリスニング要求または注目要求を受信するたびに、製品のマイクロブログアカウントのリスニングされるユーザまたは注目されるユーザが１つ増加するのを記録し、製品のマイクロブログアカウントのリスニングされる人の数または注目される人の数の統計をとることであることを特徴とする
請求項２に記載の方法。
【請求項８】
マイクロブログにおける検索システムであって、
キーワードを入力し、そして前記キーワードを検索サーバに送信するように構成されるクライアントと、
入力されたキーワードを受信し、前記キーワードに関連するマイクロブログアカウントを検索し、そして検索結果に製品のマイクロブログアカウントが存在する場合、前記製品のマイクロブログアカウントをソーティングし、そして検索結果に製品のマイクロブログアカウントを優先的に表示し、検索結果に製品のマイクロブログアカウントが存在しない場合、キーワードに関連するマイクロブログアカウント及び前記マイクロブログアカウントに対応するマイクロブログ情報を直接的に表示するように構成される検索サーバとを備えることを特徴とする、前記システム。
【請求項９】
統計サーバをさらに備え、
前記クライアントは、さらに統計サーバへリスニング要求または注目要求を送信するように構成され、
前記統計サーバは、検索結果に製品のマイクロブログアカウントを優先的に表示した後、受信されたリスニング要求または注目要求に応じて、製品のマイクロブログアカウントのリスニングされる人の数または注目される人の数の統計をとるように構成されることを特徴とする
請求項８に記載のシステム。
【請求項１０】
コンピュータ記憶媒体であって、
請求項１〜７のいずれか一項に記載の方法を実行するためのコンピュータ実行可能命令を記憶している、前記コンピュータ記憶媒体。
【発明の詳細な説明】
【技術分野】
【０００１】
本特許出願は、２０１２年３月２６日に出願された中国特許出願番号が２０１２１００８２７５０．９で、出願人が騰訊科技（深▲せん▼）有限公司であり、発明名称が「マイクロブログにおける検索方法及びシステム」に対する優先権を主張するものであり、その出願の全文が参照により本出願に組み込まれる。
【０００２】
本発明は、インターネットアプリケーションのマイクロブログ分野に関し、特にマイクロブログにおける検索方法、システム及びコンピュータ記憶媒体に関する。
【背景技術】
【０００３】
現在、入札公表情報の検索は、主に専門的な検索ツールに用いられ、ユーザがキーワードを入力した場合、検索システムは、まずキーワードとマッチングする公表情報を検索し、そして各顧客のキーワードに対する入札価格、表示しようとする公表情報の品質度、検索結果ページに表示可能な公表情報の数量に応じて、検索結果ページの公表情報と検索結果を表示する。ユーザが検索結果における公表情報をクリックした場合、公表情報の公表ページに入り、公表情報の詳細な情報を見えて、同時に、公表情報プッシュシステムは、クリックに従って記録し、それによって公表情報の宣伝と利益獲得の目的を達成する。
【０００４】
現在、マイクロブログユーザは、マイクロブログで誰かを見つけること、または話題を検索することなどの場合が多く、キーワードを入力した後、当該キーワードに関連するマイクロブログ情報を見ることができ、各マイクロブログのユーザ名、注目するユーザの数またはリスニングするユーザの数（当該マイクロブログユーザがフォローしているユーザの数）、注目される人の数またはリスニングされる人の数（当該マイクロブログユーザをフォローしている人の数、即ちフォロワーの数）、当該マイクロブログユーザの認証情報、場所などを含み、しかも、検索結果に、対応するキーワードが含まれるマイクロブログアカウント及びマイクロブログ情報を見ることしかできなく、ユーザは、これらの内容によってマイクロブログアカウントの価値を判断し、そしてその情報をリスニングする／注目することを選択することができる。従来のマイクロブログにおける検索機能は、マイクロブログアカウントとマイクロブログ内容の検索に限られ、その他、いくつかのマイクロブログは、リスニングされる人の数または注目された人の数が最も多い前の３つのマイクロブログアカウントを表示するが、当該マイクロブログアカウントに関するより詳しい情報を提供しない。
【０００５】
従来技術において、検索ツールの機能をマイクロブログの検索システムに十分に応用しないため、マイクロブログを利用して、より多く、より良い利益を生むことができなく、マイクロブログの利用率が低い。
【発明の概要】
【発明が解決しようとする課題】
【０００６】
これを鑑みて、本発明の主要な目的は、製品のマイクロブログアカウントを優先的に表示し、マイクロブログの利用率を向上させることができる、マイクロブログにおける検索方法、システム及びコンピュータ記憶媒体を提供することにある。
【課題を解決するための手段】
【０００７】
上記目的を達成するために、本発明の実施形態の技術的スキームは、以下のように実現される。
【０００８】
本発明の実施形態はマイクロブログにおける検索方法を提供し、前記方法は、
入力されたキーワードを受信し、そして前記キーワードに関連するマイクロブログアカウントを検索することと、
検索結果に製品のマイクロブログアカウントが存在する場合、前記製品のマイクロブログアカウントをソーティングし、そして検索結果に製品のマイクロブログアカウントを優先的に表示することと、
検索結果に製品のマイクロブログアカウントが存在しない場合、キーワードに関連するマイクロブログアカウント及び前記マイクロブログアカウントに対応するマイクロブログ情報を直接的に表示することとを含む。
【０００９】
上記方法において、前記検索結果に製品のマイクロブログアカウントを優先的に表示することの後、当該方法は、
受信されたリスニング要求または注目要求（フォローリクエスト）に応じて、製品のマイクロブログアカウントのリスニングされる人の数または注目される人の数の統計をとることをさらに含む。
【００１０】
上記方法において、前記入力されたキーワードを受信し、そして前記キーワードに関連するマイクロブログアカウントを検索することは、
マイクロブログの検索サーバが入力されたキーワードを受信し、そしてマイクロブログのデータベースに前記キーワードに関連するマイクロブログアカウントを検索することである。
【００１１】
上記方法において、前記製品のマイクロブログアカウントをソーティングし、そして検索結果に製品のマイクロブログアカウントを優先的に表示することは、
検索結果に複数の製品のマイクロブログアカウントが存在する場合、前記複数の製品のマイクロブログアカウントをソーティングし、ソーティングされた製品のマイクロブログアカウントが検索結果における全てのマイクロブログアカウントの最も前にランクされ、
検索サーバが、関連するマイクロブログアカウント、対応するマイクロブログ情報と公表情報が含まれる検索結果を表示することである。
【００１２】
上記方法において、
前記マイクロブログ情報は、少なくともマイクロブログユーザ名、リスニングするユーザの数または注目するユーザの数、リスニングされる人の数または注目される人の数、認証情報、場所の１つまたは複数を含み、
前記公表情報は、少なくとも製品の機能、特性、最も新しい特恵活動、ピクチャーの１つまたは複数を含む。
【００１３】
上記方法において、
前記複数の製品のマイクロブログアカウントをソーティングすることは、入札結果に従って複数の製品のマイクロブログアカウントをソーティングすることであり、
前記入札結果は、効果的なコストパーミル（ｅＣＰＭ、ｅｆｆｅｃｔｉｖｅ  Ｃｏｓｔ  Ｐｅｒ  Ｍｉｌｌｅ）によって確定され、
前記入札結果に従って前記製品のマイクロブログアカウントをソーティングすることは、ｅＣＰＭの一番高いマイクロブログアカウントが全ての製品のマイクロブログアカウントの最も前にランクされ、ｅＣＰＭの二番目に高いマイクロブログアカウントが全ての製品のマイクロブログアカウントの第２位にランクされ、以下同様にランクされる。
【００１４】
上記方法において、前記製品のマイクロブログアカウントのリスニングされる人の数または注目される人の数の統計をとることは、
統計サーバがクライアントから送信されたリスニング要求または注目要求を受信するたびに、製品のマイクロブログアカウントのリスニングされるユーザまたは注目されるユーザが１つ増加するのを記録し、製品のマイクロブログアカウントのリスニングされる人の数または注目される人の数の統計をとることである。
【００１５】
本発明の実施形態はマイクロブログにおける検索システムをさらに提供し、前記システムは、
キーワードを入力し、そして前記キーワードを検索サーバに送信するように構成されるクライアントと、
入力されたキーワードを受信し、前記キーワードに関連するマイクロブログアカウントを検索し、そして検索結果に製品のマイクロブログアカウントが存在する場合、前記製品のマイクロブログアカウントをソーティングし、そして検索結果に製品のマイクロブログアカウントを優先的に表示し、検索結果に製品のマイクロブログアカウントが存在しない場合、キーワードに関連するマイクロブログアカウント及び前記マイクロブログアカウントに対応するマイクロブログ情報を直接的に表示するように構成される検索サーバとを備える。
【００１６】
上記システムにおいて、当該システムは、統計サーバをさらに備え、
前記クライアントは、さらに統計サーバへリスニング要求または注目要求を送信するように構成され、
前記統計サーバは、検索結果に製品のマイクロブログアカウントを優先的に表示した後、受信されたリスニング要求または注目要求に応じて、製品のマイクロブログアカウントのリスニングされる人の数または注目される人の数の統計をとるように構成される。
【００１７】
本発明の実施形態はコンピュータ記憶媒体をさらに提供し、前記記憶媒体は、前記マイクロブログにおける検索方法を実行するためのコンピュータ実行可能命令を記憶している。
【００１８】
本発明の実施形態に係るマイクロブログにおける検索方法、システム及びコンピュータ記憶媒体において、入力されたキーワードを受信し、そして前記キーワードに関連するマイクロブログアカウントを検索し、検索結果に製品のマイクロブログアカウントが存在する場合、前記製品のマイクロブログアカウントをソーティングし、そして検索結果に製品のマイクロブログアカウントを優先的に表示し、ソートをマイクロブログ検索に応用すると、検索結果を、ソーティング結果に応じて課金することができ、さらにリスニングして注目した後に課金することができ、それによってマイクロブログが生む利益を高める。また、本発明において、製品のマイクロブログアカウントに対応する公表情報を表示でき、マイクロブログでユーザに製品を表示させて、それによってマイクロブログの利用率を向上させ、マイクロブログの応用価値を広げる。
【図面の簡単な説明】
【００１９】
【図１】本発明の実施形態に係るマイクロブログにおける検索方法のフローチャートである。
【図２】本発明の実施形態に係るマイクロブログにおける検索方法のアーキテクチャ図である。
【図３】本発明の実施形態に係るマイクロブログにおける検索システムの構成図である。
【発明を実施するための形態】
【００２０】
本発明の実施形態の基本的な考えは、入力されたキーワードを受信し、そして前記キーワードに関連するマイクロブログアカウントを検索し、検索結果に製品のマイクロブログアカウントが存在する場合、前記製品のマイクロブログアカウントをソーティングし、そして検索結果に製品のマイクロブログアカウントを優先的に表示し、検索結果に製品のマイクロブログアカウントが存在しない場合、キーワードに関連するマイクロブログアカウント及び前記マイクロブログアカウントに対応するマイクロブログ情報を直接的に表示することである。
【００２１】
以下に図面及び具体的な実施形態を参照して本発明をさらに詳しく説明する。
【００２２】
本発明の実施形態に係るマイクロブログにおける検索方法であって、図１は本発明の実施形態に係るマイクロブログにおける検索方法のフローチャートである。図１に示すように、同時に図２を参照し、当該方法は、以下のステップを含む。
【００２３】
ステップ１０１において、入力されたキーワードを受信し、そして当該キーワードに関連するマイクロブログアカウントを検索する。
【００２４】
具体的には、ユーザは、クライアントを介してマイクロブログに登録した後、マイクロブログの検索ボックスにキーワードを入力して検索をクリックすることができ、マイクロブログサーバへの検索要求の送信に用いられ、マイクロブログの検索サーバは、入力されたキーワードを受信し、そしてマイクロブログのデータベースに当該キーワードに関連するマイクロブログアカウントを検索し、前記クライアントは、マイクロブログアプリケーションプログラムが導入されたコンピュータ、スマートモバイル端末、タブレットコンピュータなどである。
【００２５】
ステップ１０２において、検索結果に製品のマイクロブログアカウントが存在するかどうかを判断し、はいの場合、ステップ１０３を実行し、いいえの場合、ステップ１０５を実行する。
【００２６】
具体的には、マイクロブログの検索サーバによって検索結果のマイクロブログアカウントに製品のマイクロブログアカウントが存在するかどうかを判断し、存在する場合、ステップ１０３を実行し、存在しない場合、ステップ１０５を実行する。前記製品とは公表情報を利用して宣伝される対象であって、例えば、電子製品、食品、公共サービス活動などである。
【００２７】
ステップ１０３において、全ての製品のマイクロブログアカウントをソーティングし、そして検索結果に製品のマイクロブログアカウントを優先的に表示する。
【００２８】
具体的には、検索結果に１つだけの製品のマイクロブログアカウントがある場合、ソーティングする必要がないが、検索結果に当該製品のマイクロブログアカウントを表示する必要があり、同時に、当該マイクロブログアカウントに対応するマイクロブログ情報と公表情報を表示して、即ち、当該製品のマイクロブログアカウントが検索結果の全てのマイクロブログアカウントの最も前にランクされることを表示し、
検索結果に複数の製品のマイクロブログアカウントがある場合、これらの製品のマイクロブログアカウントをソーティングする必要があり、ここで、入札結果に従ってマイクロブログアカウントをソーティングすることができ、前記入札結果が効果的なコストパーミル（ｅＣＰＭ：ｅｆｆｅｃｔｉｖｅ  Ｃｏｓｔ  Ｐｅｒ  Ｍｉｌｌｅ）によって確定され、ｅＣＰＭの一番高いマイクロブログアカウントが全ての製品のマイクロブログアカウントの最も前にランクされ、ｅＣＰＭの二番目に高いマイクロブログアカウントが全ての製品のマイクロブログアカウントの第２位にランクされ、以下同様にランクされ、
全ての製品のマイクロブログアカウントをソーティングした後、ソーティングされた製品のマイクロブログアカウントは、検索結果における全てのマイクロブログアカウントの最も前にランクされ、
検索サーバは、関連するマイクロブログアカウント、及び対応するマイクロブログ情報と公表情報が含まれる検索結果を表示し、ここで、マイクロブログ情報がマイクロブログユーザ名、リスニングするユーザの数または注目するユーザの数、リスニングされる人の数または注目される人の数、認証情報、場所などを含み、検索結果における製品のマイクロブログアカウントに対して、当該製品のマイクロブログアカウントの公表情報を展示する必要があり、前記公表情報が製品の機能、特性、最も新しい特恵活動、ピクチャなどを含み、これによって製品に対する表示を実現する。
【００２９】
ステップ１０４において、受信されたリスニング要求または注目要求に応じて、製品のマイクロブログアカウントのリスニングされる人の数または注目される人の数の統計をとる。
【００３０】
具体的には、検索サーバが検索結果を表示した後、ユーザは、クライアントを介して検索結果におけるマイクロブログアカウントをブラウズすることができ、さらにある製品のマイクロブログアカウントをリスニングするまたは注目することもでき、ユーザがクライアントを介してある製品のマイクロブログアカウントをリスニングするまたは注目する場合、クライアントがマイクロブログの統計サーバへリスニング要求または注目要求を送信することに相当し、統計サーバは、リスニング要求または注目要求を受信するたびに、当該製品のマイクロブログアカウントのリスニングされるユーザまたは注目されるユーザが１つ増加するのを記録し、さらに製品のマイクロブログアカウントのリスニングされる人の数または注目される人の数の統計をとることができ、統計結果が次回の製品のマイクロブログアカウントのソートのために依拠を提供し、
ユーザが、ある製品のマイクロブログアカウントをリスニングしたまたは注目した後、当該製品のマイクロブログアカウントに新しいマイクロブログメッセージが公表される場合、当該ユーザは、クライアントを介してマイクロブログに登録した後、新しいマイクロブログメッセージを適時に見ることができ、さらに自身がリスニングするまたは注目する製品のマイクロブログアカウントの公表情報を他の友達のマイクロブログユーザに転送することができる。
【００３１】
本発明に係るマイクロブログにおける検索方法に対して、ステップ１０４は、選択可能であり、ステップ１０４が含まれない場合、ステップ１０３を実行した後に現在の処理プロセスを終了し、ステップ１０４が含まれる場合、ステップ１０４を実行した後に現在の処理プロセスを終了する。
【００３２】
ステップ１０５において、キーワードに関連するマイクロブログアカウント及び当該マイクロブログアカウントに対応するマイクロブログ情報を直接的に表示する。
【００３３】
本発明において、検索結果に製品のマイクロブログアカウントが存在する場合の処理のみを考え、検索結果に製品のマイクロブログアカウントが存在しない場合の処理を考えなくてもいい。
【００３４】
上記方法を実現するために、本発明の実施形態に係るマイクロブログにおける検索システムであって、図３は本発明に係るマイクロブログにおける検索システムの構成図であり、図３に示すように、当該システムは、クライアント３０、検索サーバ３１を備え、ここで、
クライアント３０が、キーワードを入力し、そして前記キーワードを検索サーバ３１に送信するように構成され、
検索サーバ３１が、入力されたキーワードを受信し、前記キーワードに関連するマイクロブログアカウントを検索し、そして検索結果に製品のマイクロブログアカウントが存在する場合、前記製品のマイクロブログアカウントをソーティングし、そして検索結果に製品のマイクロブログアカウントを優先的に表示するように構成される。
【００３５】
ここで、前記検索サーバ３１は、さらに前記キーワードに関連するマイクロブログアカウントを検索した後、検索結果に製品のマイクロブログアカウントが存在するかどうかを判断するように構成される。
【００３６】
前記検索サーバ３１は、さらに検索結果に製品のマイクロブログアカウントが存在しない場合、キーワードに関連するマイクロブログアカウント及び前記マイクロブログアカウントに対応するマイクロブログ情報を直接的に表示するように構成される。
【００３７】
ここで、当該システムは、統計サーバ３２をさらに備える。
【００３８】
前記クライアント３０は、さらに統計サーバ３２へリスニング要求または注目要求を送信するように構成される。
【００３９】
前記統計サーバ３２は、検索結果に製品のマイクロブログアカウントを優先的に表示した後、受信されたリスニング要求または注目要求に応じて、製品のマイクロブログアカウントのリスニングされる人の数または注目される人の数の統計をとるように構成される。
【００４０】
ここで、前記検索サーバ３１が入力されたキーワードを受信し、そして前記キーワードに関連するマイクロブログアカウントを検索することは、入力されたキーワードを受信し、そしてマイクロブログのデータベースに前記キーワードに関連するマイクロブログアカウントを検索することである。
【００４１】
ここで、前記検索サーバ３１が前記製品のマイクロブログアカウントをソーティングし、そして検索結果に製品のマイクロブログアカウントを優先的に表示することは、検索結果に複数の製品のマイクロブログアカウントが存在する場合、前記複数の製品のマイクロブログアカウントをソーティングし、ソーティングされた製品のマイクロブログアカウントが検索結果における全ての製品のマイクロブログアカウントの最も前にランクされ、検索サーバ３１が関連するマイクロブログアカウント、対応するマイクロブログ情報と公表情報が含まれる検索結果を表示することである。
【００４２】
前記マイクロブログ情報は、少なくともマイクロブログユーザ名、リスニングするユーザの数または注目するユーザの数、リスニングされる人の数または注目される人の数、認証情報、場所の１つまたは複数を含む。前記公表情報は、少なくとも製品の機能、特性、最も新しい特恵活動、ピクチャーの１つまたは複数を含む。
【００４３】
ここで、前記統計サーバ３２が製品のマイクロブログアカウントのリスニングされる人の数または注目される人の数の統計をとることは、統計サーバ３２がクライアントから送信されたリスニング要求または注目要求を受信するたびに、製品のマイクロブログアカウントのリスニングされるユーザまたは注目されるユーザが１つ増加するのを記録し、製品のマイクロブログアカウントのリスニングされる人の数または注目される人の数の統計をとることである。
【００４４】
本発明の実施形態に係るサーバは、ソフトウェア機能モジュールの形態で実現されかつ独立する製品として販売または使用される場合、１つのコンピュータ可読記憶媒体に記憶されてもよい。このような理解に基づき、本発明の実施形態の技術的スキームは、本質または従来技術に貢する部分がソフトウェア製品の形態で体現されることができ、当該コンピュータソフトウェア製品が１つの記憶媒体に記憶され、１つのコンピュータ装置（パーソナルコンピュータ、サーバ、またはネットワーク装置などでよい）を本発明の各実施形態に係る前記方法の全部または一部を実行させるための若干の命令を含む。前記記憶媒体は、Ｕディスク、モバイルハードディスク、読出し専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、ディスクまたはＣＤ−ＲＯＭなどの様々な、プログラムコードを格納できる媒体を含む。このように、本発明の実施形態は、いずれかの特定のハードウェアとソフトウェアの組み合わせに制限されるものではない。
【００４５】
それに相応して、本発明の実施形態に係るコンピュータ記憶媒体は、本発明の実施形態に係るマイクロブログにおける検索方法を実行するためのコンピュータ実行可能命令を記憶している。
【００４６】
以上は、本発明の最適的な実施例に過ぎなく、本発明を制限せず、本分野の当業者に対して、本発明が各種類の変更と変化がある。本発明の主旨精神と原則以内に、いかなる改修、同等入れ替わり、改良等が、本発明の保護範囲以内に含まれるべきである。
【図１】
2014524624.tif 000003
【図２】
2014524624.tif 000004
【図３】
2014524624.tif 000005
【国際調査報告】
2014524624.tif 000006
2014524624.tif 000007
2014524624.tif 000008
2014524624.tif 000009